(57)【要約】【課題】物品を収納可能な空間が内部に形成されている立体的な収納具であって、且つ未使用時の保管スペースを使用時における体積に比して著しく小さくすることができる収納具を提供することを課題とする。【解決手段】周壁部材１０は、ビニールシートや布地等の変形可能な素材によって構成されており、その平面形状が平行四辺形となるように形成されている。スライダー２１と１対のテープ２２，２３とからなるファスナー２０が周壁部材１０の周縁部に配設されている。１対のテープ２２，２３のそれぞれの長さは周壁部材１０の全周の略半分の長さに選ばれている。スライダー２１によりファスナー２０を閉じると、立体的な収納具が形成される。【選択図】  図６
2004238043.tif 000002
【特許請求の範囲】
【請求項１】
内部に物品を収納可能な空間を有する立体的な収納具であって、その周壁部材が布地，ビニールシート等の変形自在な素材で構成されている収納具において、
前記周壁部材は、その平面形状が線対称となる形状に形成された前記素材によって構成され、
前記線対称の対称の軸と前記周壁部材の周縁部との交点以外の前記周縁部上に、上止，務歯，下止を有する一対のテープとスライダーとからなるファスナーの前記上止が位置し、当該上止に連設されている１対の前記務歯のそれぞれが前記上止に関して互いに反対方向に前記周縁部上に延在するように、前記ファスナーの一対のテープのそれぞれが前記周縁部の略半周に亘って配設されていることを特徴とする収納具。
【請求項２】
前記周縁部材の前記平面形状は、長方形の一組の対辺のそれぞれに、当該対辺の長さと同一の長さの直径を有する半円形を付加した小判型の平面形状であることを特徴とする請求項１に記載の収納具。
【請求項３】
内部に物品を収納可能な空間を有する立体的な収納具であって、その周壁部材が布地，ビニールシート等の変形自在な素材で構成されている収納具において、
前記周壁部材は、その平面形状が線対称とはならない形状に形成された前記素材によって構成され、
当該周壁部材の周縁部上に、上止，務歯，下止を有する一対のテープとスライダーとからなるファスナーの前記上止が位置し、当該上止に連設されている１対の前記務歯のそれぞれが前記上止に関して互いに反対方向に前記周縁部上に延在するように、前記ファスナーの一対のテープのそれぞれが前記周縁部の略半周に亘って配設されていることを特徴とする収納具。
【請求項４】
前記周壁部材の前記平面形状は、平行四辺形であることを特徴とする請求項３に記載の収納具。
【請求項５】
内部に物品を収納可能な空間が形成されている多面体の形状を有し、その周壁面を形成する周壁部材が布地，ビニールシート等の変形自在な素材で構成されている収納具であって、
前記周壁部材は、その平面形状が、前記多面体の１つの頂点を始点とし、辺を通って隣接する他の頂点に至る一連の切断線によって形成可能な前記多面体の展開図と略同一の平面形状となるように形成された前記素材によって構成され、
上止，務歯，下止を有する一対のテープとスライダーとからなるファスナーであって、前記一対のテープの長さが前記周壁部材の周縁部の長さの略半分の長さであるファスナーの前記下止が、前記切断線の始点に対応する前記周壁部材の周縁部上に位置し、当該下止に連設されている一対の前記務歯のそれぞれが前記下止に関して互いに反対方向に前記周縁部上に延在するように、前記ファスナーの一対のテープのそれぞれが前記周縁部の略半周に亘って配設されていることを特徴とする収納具。
【請求項６】
前記多面体は、頂点Ａ，Ｂ，Ｃ，Ｄ，Ｅ，Ｆを有する正８面体であり、前記一連の切断線は、頂点Ａを前記始点とし、辺ＡＢ，辺ＢＣ，辺ＣＤ，辺ＤＥ，辺ＥＦを通り頂点Ｆに至る一連の切断線であることを特徴とする請求項５に記載の収納具。
【発明の詳細な説明】
【０００１】
【発明の属する技術分野】
本発明は、様々な物品を収納可能な空間が内部に形成されている立体的な収納具に関するものである。
【０００２】
【従来の技術】
従来から、化粧品や水着等の様々な物品を内部に形成した空間に収納して、これらの物品を保護する立体的な収納具が数々提案されている。
【０００３】
図１９は、そのような収納具の一例の構成を示した斜視図である。
【０００４】
図１９において、１は収納具を構成する周壁部材、２は周壁部材に形成された開口部、３は開口部２に配設されたファスナーである。
【０００５】
このように構成された従来の収納具においては、ファスナー３を開いて、収納すべき物品の出し入れを行なう。
【０００６】
ここで、周壁部材１を構成する素材としては、収納する物品の形状に合わせて、多少の変形が可能であり、且つある程度の剛性を有する厚手のビニールーシートや布地等が一般に用いられている。
【０００７】
【発明が解決しようとする課題】
しかしながら、このような従来の収納具においては、内部に物品が収納されている状態であっても、内部に物品が収納されていない状態であってもその形態がほとんど変化しないために、即ち、使用時であろうと未使用時であろうとその体積が略同じであるために、未使用時においても使用時と同じ保管スペースを必要としていた。
【０００８】
本発明の目的は、物品を収納可能な空間が内部に形成されている立体的な収納具であって、且つ未使用時の保管スペースを使用時における体積に比して著しく小さくすることができる収納具を提供することにある。
【０００９】
【課題を解決するための手段】
以上の目的を達成するために本発明の第１の手段は、内部に物品を収納可能な空間を有する立体的な収納具であって、その周壁部材が布地，ビニールシート等の変形自在な素材で構成されている収納具において、前記周壁部材は、その平面形状が線対称となる形状に形成された前記素材によって構成され、前記線対称の対称の軸と前記周壁部材の周縁部との交点以外の前記周縁部上に、上止，務歯，下止を有する一対のテープとスライダーとからなるファスナーの前記上止が位置し、当該上止に連設されている１対の前記務歯のそれぞれが前記上止に関して互いに反対方向に前記周縁部上に延在するように、前記ファスナーの一対のテープのそれぞれが前記周縁部の略半周に亘って配設されていることを特徴とするものである。
【００１０】
また上記第１の手段において、前記周縁部材の前記平面形状は、長方形の一組の対辺のそれぞれに、当該対辺の長さと同一の長さの直径を有する半円形を付加した小判型の平面形状としてもよい。
【００１１】
前述した目的を達成するために、本発明の第２の手段は、内部に物品を収納可能な空間を有する立体的な収納具であって、その周壁部材が布地，ビニールシート等の変形自在な素材で構成されている収納具において、前記周壁部材は、その平面形状が線対称とはならない形状に形成された前記素材によって構成され、当該周壁部材の周縁部上に、上止，務歯，下止を有する一対のテープとスライダーとからなるファスナーの前記上止が位置し、当該上止に連設されている１対の前記務歯のそれぞれが前記上止に関して互いに反対方向に前記周縁部上に延在するように、前記ファスナーの一対のテープのそれぞれが前記周縁部の略半周に亘って配設されていることを特徴とするものである。
【００１２】
また上記第２の手段において、前記周壁部材の前記平面形状は、平行四辺形としてもよい。
【００１３】
前述した目的を達成するために、本発明の第３の手段は、内部に物品を収納可能な空間が形成されている多面体の形状を有し、その周壁面を形成する周壁部材が布地，ビニールシート等の変形自在な素材で構成されている収納具であって、前記周壁部材は、その平面形状が、前記多面体の１つの頂点を始点とし、辺を通って隣接する他の頂点に至る一連の切断線によって形成可能な前記多面体の展開図と略同一の平面形状となるように形成された前記素材によって構成され、上止，務歯，下止を有する一対のテープとスライダーとからなるファスナーであって、前記一対のテープの長さが前記周壁部材の周縁部の長さの略半分の長さであるファスナーの前記下止が、前記切断線の始点に対応する前記周壁部材の周縁部上に位置し、当該下止に連設されている一対の前記務歯のそれぞれが前記下止に関して互いに反対方向に前記周縁部上に延在するように、前記ファスナーの一対のテープのそれぞれが前記周縁部の略半周に亘って配設されていることを特徴とするものである。
【００１４】
また上記第３の手段において、前記多面体は、頂点Ａ，Ｂ，Ｃ，Ｄ，Ｅ，Ｆを有する正８面体であり、前記一連の切断線は、頂点Ａを前記始点とし、辺ＡＢ，辺ＢＣ，辺ＣＤ，辺ＤＥ，辺ＥＦを通り頂点Ｆに至る一連の切断線としてもよい。
【００１５】
【発明の実施の形態】
以下、図面を用いて本発明の実施形態を説明する。
【００１６】
（実施形態１）
図１は、本発明の実施形態１の構成を示した構成図である。
【００１７】
図１において、１０は収納具の周壁を構成する周壁部材であり、その素材としては、図１９に示した従来の収納具の周壁部材１の素材と同様の厚手のビニールシートや布地等、変形が可能であり且つある程度の剛性を有する素材が選ばれている。
【００１８】
この周壁部材１０は、その平面形状が図１に示したように、長方形の一組の対辺のそれぞれに、その対辺の長さを直径とする半円形を付加した所謂小判型の平面形状となるように形成されている。このように周壁部材１０は、直線Ｘまたは直線Ｙに関して線対称となるように形成されている（以下、直線Ｘ，Ｙを「対称の軸」と呼ぶ）。
【００１９】
２０はファスナーであり、このファスナー２０は、スライダー２１と１対のテープ２２，２３とによって構成されている。１対のテープ２２，２３には、ファスナー２０を閉じたとき咬合する務歯２４、ファスナー２０を開けたときスライダー２１を停止させる下止２６、ファスナー２０を閉じたときスライダー２１を停止させる上止２５がそれぞれ配設されている。
【００２０】
ここで、本実施形態１においては、ファスナー２０の上止２５が、周壁部材１０の周縁部上であって且つ対称の軸Ｘ，Ｙとの交点以外の位置に位置するように、テープ２２，２３が周壁部材１０の周縁部に沿って配設されている。この周壁部材１０の周縁部に配設されているテープ２２，２３は、上止２５に関して互いに反対方向となるようにそれぞれ配設されている。また、このテープ２２，２３はそれぞれ、周壁部材１０の周縁部の略半周に亘って配設されている。
【００２１】
以上のように構成された本実施形態１においては、図２に示したように、ファスナー２０のスライダー２１を下止２６から離隔する方向に移動させてファスナー２０を閉じていくと、剛性を有する周壁部材１０が、図３に示した形態から図４に示した形態に変形し、最終的には図５に示した所謂「葉巻状の立体」を形成する。
【００２２】
本実施形態１においては、図３または図４に示した状態のときに内部に収納すべき物品を入れてファスナー２０を閉じることによって、物品を内部に形成される空間に収納することができる。
【００２３】
以上説明したように本実施形態１においては、物品が収納されている使用時においては、図５に示した立体となって内部に収納されている物品を保護し、未使用時には図１に示した平面形状となるために、その保管スペースを使用時の立体形状に比して著しく小さくすることができる。
【００２４】
なお、以上説明した本実施形態１においては、周壁部材１０の平面形状が所謂小判型に選ばれているが、この周壁部材１０の平面形状は所謂小判型に限られるものではなく、線対称の平面形状であればどのような平面形状であってもよい。周壁部材１０の平面形状が線対称の場合には、周壁部材１０の周縁部と対称の軸との交点以外の位置にファスナー２０の上止２５を配設するようにすれば、ファスナー２０を閉じたときに立体的となる収納具を構成することができる。
【００２５】
（実施形態２）
図６は本発明の実施形態２の平面構成を示した構成図である。
【００２６】
図６において、図１と同一符号のものは同一のものを示しているのでその説明は省略する。本実施形態２と、図１に示した実施形態１との差異は、周壁部材１０の平面形状にある。即ち、本実施形態２においては、周壁部材１０の平面形状が、線対称ではない平行四辺形に選ばれている。従って、本実施形態２においては対称の軸が存在しないので、ファスナー２０の上止２５の配設位置は、周壁部材１０の周縁部上であればどの位置であってもよい。
【００２７】
以上のように構成された本実施形態２においては、図７に示した状態からファスナー２０のスライダー２１を下止２６から離隔する方向に移動させてファスナー２０を閉じていくと、剛性を有する周壁部材１０が、図８に示した形態から図９に示した形態に変形し、最終的には図１０に示した形態の立体的な収納具を形成する。
【００２８】
このように本実施形態２においても、未使用時には図６に示した平面形状となるために、その保管スペースを使用時の立体形状に比して著しく小さくすることができる。
【００２９】
なお、本実施形態２においては、周壁部材１０の平面形状が平行四辺形に選ばれているが、この平面形状は平行四辺形に限られるものではなく、線対称ではない平面形状であれば、どのような平面形状であってもよい。
【００３０】
（実施形態３）
図１１は、本発明の実施形態３の平面構成を示した構成図である。
【００３１】
図１１において、図６に示した実施形態２と同一符号のものは同一のものを示しているのでその説明は省略する。
【００３２】
図１１に示す本実施形態３においては、周壁部材１０の平面形状が、図１２に示す正８面体３０の展開図と略同一となるように選ばれている。即ち、図１２に示す正８面体の頂点Ａを始点とし、辺ＡＢ，辺ＢＣ，辺ＣＤ，辺ＥＦを通り終点の頂点Ｆに至る一連の切断線によって形成可能な展開図と略同一形状となるように周壁部材１０の平面形状が選ばれている。
【００３３】
さらに本実施形態３においては、図１１に示したように、ファスナー２０の上止２５が、終点である頂点Ｆに対応する位置に位置し、下止２６が始点である頂点Ａに対応する位置に位置するようにファスナー２０のテープ２２，２３のそれぞれが配設されている。ここで、ファスナー２０の下止２６の配設位置は、頂点Ａに対応する位置に厳密に一致させる必要はなく、ファスナー２０のスライダー２１の開閉動作を容易にするために、図１１に示したように、１対のテープ２２，２３を周壁部材１０の内側に若干延在させるように下止２６を頂点Ａに対応する位置の若干内側に配設するようにしてもよい。
【００３４】
以上のように構成された本実施形態３においては、図１３に示した状態からファスナー２０のスライダー２１を下止２６から離隔する方向に移動させてファスナー２０を閉じていくと、剛性を有する周壁部材１０の形態が図１４ないし図１７に示すように変形し、最終的には図１８に示す正８面体の形態を有する収納具を形成する。
【００３５】
このように本実施形態３においては、使用時には図１８に示す正８面体の形状となり、未使用時には図１１に示す平面形状となる。
【００３６】
なお、本実施形態２においては、周壁部材１０の平面形状が正８面体の展開図と略同一の平面形状に選ばれているが、この平面形状は正８面体の展開図と略同一の平面形状に限られるものではなく、多面体の展開図であって、その多面体の辺を通る一連の切断線によって形成可能な展開図と略同一の形状であればどのような平面形状であってもよい。周壁部材１０の平面形状を以上のような平面形状に選び、一連の切断線の始点と終点とに対応する位置に、ファスナー２０の上止２５と下止２６をそれぞれ配設するようにすれば、展開図を組み立てた多面体と略同一の形態を使用時において有する収納具を得ることができる。
【００３７】
【発明の効果】
以上説明したように本発明によれば、物品を収納可能な空間が内部に形成されている立体的な収納具であって、且つ未使用時の保管スペースを使用時における体積に比して著しく小さくすることができる収納具を提供することができる。
【図面の簡単な説明】
【図１】本発明の実施形態１の平面構成を示す構成図である。
【図２】本発明の実施形態１の使用方法の説明図である。
【図３】本発明の実施形態１の使用方法の説明図である。
【図４】本発明の実施形態１の使用方法の説明図である。
【図５】本発明の実施形態１の使用方法の説明図である。
【図６】本発明の実施形態２の平面構成を示す構成図である。
【図７】本発明の実施形態２の使用方法の説明図である。
【図８】本発明の実施形態２の使用方法の説明図である。
【図９】本発明の実施形態２の使用方法の説明図である。
【図１０】本発明の実施形態２の使用方法の説明図である。
【図１１】本発明の実施形態３の平面構成を示す構成図である。
【図１２】本発明の実施形態３の平面構成の説明図である。
【図１３】本発明の実施形態３の使用方法の説明図である。
【図１４】本発明の実施形態３の使用方法の説明図である。
【図１５】本発明の実施形態３の使用方法の説明図である。
【図１６】本発明の実施形態３の使用方法の説明図である。
【図１７】本発明の実施形態３の使用方法の説明図である。
【図１８】本発明の実施形態３の使用方法の説明図である。
【図１９】従来の収納具の構成を示す斜視図である。
【符号の説明】
１０  周壁部材
２０  ファスナー
２１  スライダー
２２，２３  テープ
２４  務歯
２５  上止
２６  下止
３０  正８面体
Ａ〜Ｆ  頂点
Ｘ，Ｙ  対称の軸
【図１】
2004238043.tif 000003
【図２】
2004238043.tif 000004
【図３】
2004238043.tif 000005
【図４】
2004238043.tif 000006
【図５】
2004238043.tif 000007
【図６】
2004238043.tif 000008
【図７】
2004238043.tif 000009
【図８】
2004238043.tif 000010
【図９】
2004238043.tif 000011
【図１０】
2004238043.tif 000012
【図１１】
2004238043.tif 000013
【図１２】
2004238043.tif 000014
【図１３】
2004238043.tif 000015
【図１４】
2004238043.tif 000016
【図１５】
2004238043.tif 000017
【図１６】
2004238043.tif 000018
【図１７】
2004238043.tif 000019
【図１８】
2004238043.tif 000020
【図１９】
2004238043.tif 000021